(57)【要約】【課題】  表示画面と表示する画像との組み合わせに応じて、画像および画像に関する情報を視認しやすく表示可能な電子カメラを提供すること。【解決手段】  表示機能を備えた電子カメラにおいて、被写体像を撮像して画像を生成する撮像部と、撮像部による撮像時の電子カメラの撮像姿勢を検知する検知部と、撮像部により生成した画像と、検知部による検知結果とを関連づけて記録する記録部と、記録部により記録した画像およびその画像に関する情報を表示する表示部と、表示部の表示画面のアスペクト比と、記録部に記録した画像の大きさと、検知部による検知結果とに応じて、画像を表示部に表示する際の画像の大きさと、画像の表示方向と、画像の表示位置との少なくとも１つを調整するとともに、画像に関する情報を表示部に表示する際の表示領域を調整する表示制御部とを備える。【選択図】      図２
2006229585.tif 000002
【特許請求の範囲】
【請求項１】
表示機能を備えた電子カメラにおいて、
被写体像を撮像して画像を生成する撮像部と、
前記撮像部による撮像時の前記電子カメラの撮像姿勢を検知する検知部と、
前記撮像部により生成した前記画像と、前記検知部による検知結果とを関連づけて記録する記録部と、
前記記録部により記録した前記画像およびその画像に関する情報を表示する表示部と、
前記表示部の表示画面のアスペクト比と、前記記録部に記録した前記画像の大きさと、前記検知部による検知結果とに応じて、前記画像を前記表示部に表示する際の前記画像の大きさと、前記画像の表示方向と、前記画像の表示位置との少なくとも１つを調整するとともに、前記画像に関する情報を前記表示部に表示する際の表示領域を調整する表示制御部と
を備えたことを特徴とする電子カメラ。
【請求項２】
請求項１に記載の電子カメラにおいて、
外部の表示装置と接続し、情報を授受する接続部と、
前記接続部を介して接続された前記外部の表示装置の表示画面のアスペクト比を取得する取得部とをさらに備え、
前記表示制御部は、前記取得部により取得した前記外部の表示装置の表示画面のアスペクト比と、前記記録部に記録した前記画像の大きさと、前記検知部による検知結果とに応じて、前記画像を前記外部の表示装置に表示する際の前記画像の大きさと、前記画像の表示方向と、前記画像の表示位置との少なくとも１つを調整するとともに、前記画像に関する情報を前記外部の表示装置に表示する際の表示領域を調整し、
前記接続部は、前記表示制御部による調整後の情報を前記外部の表示装置に供給する
ことを特徴とする電子カメラ。
【請求項３】
表示機能を備えた電子カメラにおいて、
被写体像を繰り返し撮像して画像を生成する撮像部と、
前記撮像部による撮像時の前記電子カメラの撮像姿勢を検知する検知部と、
前記撮像部により生成した前記画像およびその画像に関する情報を表示する表示部と、
前記表示部の表示画面のアスペクト比と、前記撮像部により生成した前記画像の大きさと、前記検知部による検知結果とに応じて、前記画像を前記表示部に表示する際の前記画像の大きさと、前記画像の表示方向と、前記画像の表示位置との少なくとも１つを調整するとともに、前記画像に関する情報を前記表示部に表示する際の表示領域と、表示方向との少なくとも一方を調整する表示制御部と
を備えたことを特徴とする電子カメラ。
【発明の詳細な説明】
【技術分野】
【０００１】
本発明は、表示機能を備えた電子カメラに関する。
【背景技術】
【０００２】
従来より、撮像により生成された画像をモニタなどの表示画面に表示する表示機能を備えた電子カメラが知られている。このような電子カメラは、表示する画像の縦横比に応じて、画像を拡大または縮小して表示している（例えば、特許文献１参照）。例えば、横長の表示画面に縦長の画像を表示する場合には、表示画面の縦方向の長さに応じて画像を縮小して表示する。このような場合には、画像の左右に画像が表示されない部分（無表示部分）が発生する。この無表示部分は、通常、黒く表示される。
【特許文献１】特開２００２−１５２６８号公報
【発明の開示】
【発明が解決しようとする課題】
【０００３】
特許文献１の発明では、撮影日時・画像ファイル名等の撮影データを表示する文字表示領域を設け、上述した無表示部分を文字表示領域とすることで、無表示部分を有効に利用している。しかし、特許文献１の発明では、表示画面を画像表示領域と文字表示領域とに単純に分割して表示を行っているため、画像の縦横比や拡大倍率によっては、画像そのものや撮影日時・画像ファイル名等の撮影データなどが視認し辛い場合がある。
【０００４】
本発明は、表示画面と表示する画像との組み合わせに応じて、画像および画像に関する情報を視認しやすく表示可能な電子カメラを提供することを目的とする。
【課題を解決するための手段】
【０００５】
請求項１に記載の電子カメラは、表示機能を備えた電子カメラにおいて、被写体像を撮像して画像を生成する撮像部と、前記撮像部による撮像時の前記電子カメラの撮像姿勢を検知する検知部と、前記撮像部により生成した前記画像と、前記検知部による検知結果とを関連づけて記録する記録部と、前記記録部により記録した前記画像およびその画像に関する情報を表示する表示部と、前記表示部の表示画面のアスペクト比と、前記記録部に記録した前記画像の大きさと、前記検知部による検知結果とに応じて、前記画像を前記表示部に表示する際の前記画像の大きさと、前記画像の表示方向と、前記画像の表示位置との少なくとも１つを調整するとともに、前記画像に関する情報を前記表示部に表示する際の表示領域を調整する表示制御部とを備えたことを特徴とする。
【０００６】
請求項２に記載の電子カメラは、請求項１に記載の電子カメラにおいて、外部の表示装置と接続し、情報を授受する接続部と、前記接続部を介して接続された前記外部の表示装置の表示画面のアスペクト比を取得する取得部とをさらに備え、前記表示制御部は、前記取得部により取得した前記外部の表示装置の表示画面のアスペクト比と、前記記録部に記録した前記画像の大きさと、前記検知部による検知結果とに応じて、前記画像を前記外部の表示装置に表示する際の前記画像の大きさと、前記画像の表示方向と、前記画像の表示位置との少なくとも１つを調整するとともに、前記画像に関する情報を前記外部の表示装置に表示する際の表示領域を調整し、前記接続部は、前記表示制御部による調整後の情報を前記外部の表示装置に供給することを特徴とする。
【０００７】
請求項３に記載の電子カメラは、表示機能を備えた電子カメラにおいて、被写体像を繰り返し撮像して画像を生成する撮像部と、前記撮像部による撮像時の前記電子カメラの撮像姿勢を検知する検知部と、前記撮像部により生成した前記画像およびその画像に関する情報を表示する表示部と、前記表示部の表示画面のアスペクト比と、前記撮像部により生成した前記画像の大きさと、前記検知部による検知結果とに応じて、前記画像を前記表示部に表示する際の前記画像の大きさと、前記画像の表示方向と、前記画像の表示位置との少なくとも１つを調整するとともに、前記画像に関する情報を前記表示部に表示する際の表示領域と、表示方向との少なくとも一方を調整する表示制御部とを備えたことを特徴とする。
【発明の効果】
【０００８】
本発明の電子カメラによれば、表示画面と表示する画像との組み合わせに応じて、画像および画像に関する情報を視認しやすく表示することができる。
【発明を実施するための最良の形態】
【０００９】
《第１実施形態》
以下、本発明の第１実施形態について説明する。
第１実施形態の電子カメラ１は、図１Ａの前面外観図に示すように、前面に撮影レンズ２を備え、上面にレリーズボタン３を備える。また、図１Ｂの背面外観図に示すように、背面に液晶モニタ４、十字ボタン５を備える。なお、液晶モニタ４はアスペクト比が３：４の表示画面を有する。
【００１０】
図２は、電子カメラ１の機能ブロック図である。電子カメラ１は、図２に示すように、撮影レンズ２や不図示の撮像素子を含む撮像部６、音声を取得するマイク７、レリーズボタン３および十字ボタン５などを含む操作部８、各部を制御する制御部９、電子カメラ１の撮像姿勢を検知する検知部１０、液晶モニタ４の表示内容を制御する表示処理部１１、音声を出力するスピーカ１２、画像などを記録する記録部１３、外部の機器と相互に接続可能な接続部１４を備える。検知部１０は、撮像時にユーザが電子カメラ１を縦位置に構えているか、横位置に構えているかという撮影姿勢を検知するセンサを有する。このセンサの具体的な構成は、例えば、特開２００２−１５２６８号公報に記載のものと同様である。また、撮像部６の不図示の撮像素子のアスペクト比は、液晶モニタ４と同様の３：４である。
【００１１】
図２において、撮像部６、表示処理部１１、記録部１３、接続部１４は、制御部９と相互に接続される。また、マイク７の出力は制御部９を介してスピーカ１２に接続される。また、操作部８および検知部１０の状態は制御部９により検知され、表示処理部１１の出力は液晶モニタ４に接続される。
なお、撮像部６、制御部９は、請求項の「撮像部」に対応し、制御部９、検知部１０は、請求項の「検知部」に対応する。また、制御部９、記録部１３は、請求項の「記録部」に対応し、液晶モニタ４は、請求項の「表示部」に対応する。また、制御部９、表示処理部１１は、請求項の「表示処理部」に対応し、制御部９、接続部１４は、請求項の「接続部」に対応する。
【００１２】
以上説明した構成の電子カメラ１において、レリーズボタン３を介して、被写体像の撮像が指示されると、制御部９はこれを検知し、撮像部６を介して被写体像の撮像を行う。そして、制御部９は、検知部１０を介して撮像時の撮像姿勢を検知し、撮像により生成した画像と検知結果とを関連づけて記録部１３に記録する。なお、撮像時にマイク７を介して音声情報も取得した場合には、音声情報も同様に関連づけて記録部１３に記録する。
【００１３】
以下、本実施形態の特徴である画像再生時の動作について図３のフローチャートを参照して説明する。なお、本実施形態では、画像再生時に、画像とともに画像に関する情報を表示する。このような情報の表示の有無は、ユーザにより指定可能にするのが好ましい。
操作部８を介して画像の再生が指示されると、ステップＳ１において、制御部９は、再生する画像が選択されたか否かを判定する。なお、ここで選択される画像は、記録部１３に記録された画像の何れかであり、前述したように、撮像部６の不図示の撮像素子のアスペクト比は３：４であるため、記録された画像のアスペクト比も３：４である。
【００１４】
再生する画像が選択されると、ステップＳ２において、制御部９は、液晶モニタ４に表示するか否かを判定する。液晶モニタ４に表示するか否かの判定は、操作部８を介したユーザ操作に基づいて行うようにしても良いし、接続部１４に接続される外部機器（表示装置など）の種類を判別して、その判別結果に基づいて行うようにしても良い。
液晶モニタ４に表示すると判定した場合、ステップＳ３において、制御部９は、表示する画像の大きさ、表示方向、表示位置を決定する。なお、ステップＳ３および後述するステップＳ５では、説明を分かりやすくするために、表示される際の画像を用いて説明を行う。ステップＳ３および後述するステップＳ５では、このような画像を生成するために、画像の大きさ、表示方向、表示位置が決定されるものとする。
【００１５】
制御部９は、記録部１３から、表示する画像と、画像に関する情報を読み出す。画像に関する情報とは、撮影日時などの撮影情報や、検知部１０による検知結果などである。そして、制御部９は、液晶モニタ４の表示画面のアスペクト比（ここでは３：４）と、記録した画像の大きさと、検知結果とに応じて、画像を表示する際の画像の大きさと、画像の表示方向と、画像の表示位置とを決定する。
【００１６】
横位置で撮像された画像を、液晶モニタ４の表示画面に表示する場合、図４Ａに示すように、画像の下部および右部に、予め定められる情報表示領域を設けられるように画像の拡大率または縮小率を決定し、表示位置を左上端に決定する。なお、拡大率または縮小率は、後述する縦位置で撮像された画像を表示する際の拡大率または縮小率と同等にすると、ユーザにとって違和感の少ない表示が可能である。図４Ａでは、画像の下部に撮影日、撮影モードなどの撮影情報を表す文字情報ａを表示する表示領域を設け、画像の右部に音声情報（マイク７を介して取得したもの）の有無を表す文字情報ｂを表示する表示領域を設ける例を示す。
【００１７】
また、縦位置で撮像された画像を、液晶モニタ４の表示画面に表示する場合、図４Ｂに示すように、画像を９０°回転した後に、液晶モニタ４の表示画面の縦方向の長さに合わせて画像の拡大率または縮小率を決定し、表示位置を左端に決定する。図４Ｂでは、画像の右部に上述した文字情報ａおよび文字情報ｂをまとめた文字情報ｃを表示する表示領域を設ける例を示す。なお、情報表示領域の大きさや形に応じて、表示する情報の内容やレイアウトをユーザにより指定可能としても良い。
【００１８】
一方、ステップＳ２において、液晶モニタ４に表示しないと判定した場合、ステップＳ４において、制御部９は、表示装置の情報を取得する。表示装置の情報とは、表示画面のアスペクト比などの情報であり、操作部８を介してユーザに指定させるようにしても良いし、接続部１４に接続される外部機器（表示装置など）から自動的に情報を取得するようにしても良い。このような取得を行う際の制御部９（操作部８、接続部１４）は、請求項の「取得部」に対応する。
【００１９】
そして、ステップＳ５において、制御部９は、ステップＳ４で取得した表示装置の情報と、記録した画像の大きさと、検知結果とに応じて、画像を表示する際の画像の大きさと、画像の表示方向と、画像の表示位置とを決定する。ここでは、ハイビジョン画面などのアスペクト比９：１６の表示画面を有する外部機器に表示する場合を例に挙げて説明する。アスペクト比３：４の画像をアスペクト比９：１６の表示画面に表示する場合、無表示部分は拡大する。
【００２０】
横位置で撮像されたアスペクト比３：４の画像を、アスペクト比９：１６の表示画面に表示する場合、図５Ｂに示すように、アスペクト比９：１６の表示画面の縦方向の長さに合わせて画像の拡大率または縮小率を決定し、表示位置を左端に決定する。図５Ａは、前述したアスペクト比３：４の表示画面に表示する際の図４Ａと同じ図である。この図５Ａと図５Ｂとを比較すると、画像をより大きく表示しつつ、同程度の文字情報ｄを表示可能な情報表示領域を設けることが可能であることが分かる。なお、情報表示領域の大きさや形に応じて、表示する情報の内容やレイアウトをユーザにより指定可能としても良い。
【００２１】
また、縦位置で撮像されたアスペクト比３：４の画像を、アスペクト比９：１６の表示画面に表示する場合、画像を９０°回転した後に、アスペクト比９：１６の表示画面の縦方向の長さに合わせて画像の拡大率または縮小率を決定し、表示位置を左端および右端に決定する。このように決定することにより、図６Ｂに示すように、縦位置で撮像された画像を２枚並列に表示することができる。図６Ａは、前述したアスペクト比３：４の表示画面に表示する際の図４Ｂと同じ図である。図６Ｂでは２枚の画像を左右に寄せて、中央に情報表示領域を設ける例を示したが、レイアウトはこの例に限定されない。また、図６Ｂの例では、「音声情報あり」という文字情報の代わりに、アイコンｅを用いる。このように、アイコン表示を行うことにより、限られた情報表示領域に分かりやすく情報を表示することができる。
【００２２】
ステップＳ６において、制御部９は、ステップＳ３またはステップＳ５で決定した内容にしたがって、表示処理部１１を介して表示画像を生成する。
ステップＳ７において、制御部９は、表示処理部１１を介して生成した表示画像を、ステップＳ２の判定に基づいて各部に供給する。例えば、ステップＳ２において、液晶モニタ４に表示すると判定した場合には、液晶モニタ４に供給し、液晶モニタ４に表示しないと判定した場合には、接続部１４を介して外部機器に供給する。
【００２３】
以上説明したように、第１実施形態によれば、被写体像を撮像して画像を生成するとともに撮像時の電子カメラの撮像姿勢を検知し、生成した画像と、検知結果とを関連づけて記録する。そして、記録した画像およびその画像に関する情報を表示する際に、表示画面のアスペクト比と、記録した画像の大きさと、検知結果とに応じて、画像を表示する際の画像の大きさと、画像の表示方向と、画像の表示位置との少なくとも１つを調整するとともに、画像に関する情報を表示する際の表示領域を調整する。したがって、表示画面と表示する画像との組み合わせに応じて、画像および画像に関する情報を視認しやすく表示することができる。
【００２４】
また、第１実施形態によれば、外部の表示装置と接続し、情報を授受する接続部と、接続部を介して接続された外部の表示装置の表示画面のアスペクト比を取得する取得部とを備え、取得した外部の表示装置の表示画面のアスペクト比と、画像の大きさと、検知結果とに応じて、画像を外部の表示装置に表示する際の画像の大きさと、画像の表示方向と、画像の表示位置との少なくとも１つを調整するとともに、画像に関する情報を外部の表示装置に表示する際の表示領域を調整し、調整後の情報を外部の表示装置に供給する。したがって、画像をアスペクト比の異なる外部の表示装置に表示する際にも、画像および画像に関する情報を視認しやすく表示することができる。
【００２５】
《第２実施形態》
以下、本発明の第２実施形態について説明する。
第２実施形態の電子カメラは、第１実施形態の電子カメラ１と同様の構成である。したがって、構成の図示および説明を省略し、以下では、第１実施形態と同様の符号を用いる。
【００２６】
第２実施形態では、第１実施形態において撮像により生成された画像を再生する場合に実行した各処理を、スルー画像に基づく構図確認中に実行する。
すなわち、制御部９は、撮像部６を介して被写体像の撮像を繰り返し行いつつ、電子カメラ１の姿勢を検知する。そして、撮像により生成した画像に対して、第１実施形態と同様の処理を行って、液晶モニタ４に表示する。なお、通常スルー画像は液晶モニタ４に表示されるため、図３のフローチャートのステップＳ２の判定およびステップＳ４、ステップＳ５は不要である。また、撮像により生成された画像を再生する場合には、液晶モニタ４は常に横長になるように配置されるが、構図確認中には縦長に配置されることもある。
【００２７】
制御部９は、検知部１０により横位置で構図確認が行われていると判定すると、図７Ａに示すように、画像の下部および右部に、予め定められる情報表示領域を設けられるように画像の拡大率または縮小率を決定し、表示位置を左上端に決定する。図７Ａでは、画像の下部に撮影日、撮影モードなどの撮影情報を表す文字情報ａを表示する表示領域を設け、画像の右部に残り撮影可能枚数を表す文字情報ｆを表示する表示領域を設け、さらに、右下部に、信号レベルのヒストグラム表示グラフｇ設ける例を示す。
【００２８】
また、検知部１０により縦位置で構図確認が行われていると判定すると、制御部９は、図７Ｂに示すように、画像を９０°回転せずに（縦位置で構図確認が行われているため）、画像の下部および右部に、予め定められる情報表示領域を設けられるように画像の拡大率または縮小率を決定し、表示位置を左上端に決定する。図７Ｂでは、画像の下部に撮影日、撮影モードなどの撮影情報を表す文字情報ａを表示する表示領域を設け、画像の右部に残り撮影可能枚数を表す文字情報ｆを表示する表示領域を設け、さらに、右下部に、信号レベルのヒストグラム表示グラフｇを設ける例を示す。また、文字情報ａ、文字情報ｆ、ヒストグラム表示グラフｇは、検知部１０による検知結果に応じて、９０°回転している。
【００２９】
さらに、操作部８を介して、ユーザがズームインを指示した場合には、情報表示領域を徐々に縮小する。すなわち、表示位置を左端に決定し、図８のＡからＣに示すように、情報表示領域を徐々に縮小することにより、情報表示領域を確保しつつズームインによる画像の拡大を実行する。このとき、レイアウト変更や省略表示（「２００５.○.○.」を「○/○」に省略表示）を行って、限られた情報表示領域に分かりやすく情報を表示するようにする。
【００３０】
そして、図８Ｃに示すように、情報表示領域をそれ以上縮小できない場合には、図８Ｄに示すように、表示画面内の一部のエリアを情報表示領域として固定し、残りの部分に画像の中央部分を拡大して表示するようにする。このとき、画像の一部に重ね合わせて情報表示領域を設けるようにしても良い。
以上説明したように、第２実施形態によれば、被写体像を繰り返し撮像して画像を生成するとともに撮像時の電子カメラの撮像姿勢を検知する検知し、生成した前記画像およびその画像に関する情報を表示する際に、表示画面のアスペクト比と、生成した画像の大きさと、検知結果とに応じて、画像を表示する際の画像の大きさと、画像の表示方向と、画像の表示位置との少なくとも１つを調整するとともに、画像に関する情報を表示する際の表示領域と、表示方向との少なくとも一方を調整する。したがって、スルー画像に基づく構図確認中にも、画像および画像に関する情報を視認しやすく表示することができる。
【００３１】
なお、第２実施形態で図８を用いて説明した拡大時の処理と同様の処理を第１実施形態に適用しても良い。
また、第１実施形態および第２実施形態では、情報表示領域に撮影情報やヒストグラムなどを表示する例を示したが、他の情報を表示するようにしても良い。例えば、電子カメラ１が、ＧＰＳ（Global Positioning Systems）機能を備える場合には、位置情報や地図などを表示するようにしても良いし、電子カメラ１の操作方法などを示すヘルプ情報を表示するようにしても良い。
【図面の簡単な説明】
【００３２】
【図１】電子カメラ１の外観図である。
【図２】電子カメラ１の機能ブロック図である。
【図３】電子カメラ１の動作を示すフローチャートである。
【図４】表示画面に表示される際の画像の例を示す図である。
【図５】表示画面に表示される際の画像の別の例を示す図である。
【図６】表示画面に表示される際の画像の別の例を示す図である。
【図７】表示画面に表示される際の画像の別の例を示す図である。
【図８】表示画面に表示される際の画像の別の例を示す図である。
【符号の説明】
【００３３】
１  電子カメラ
２  撮影レンズ
３  レリーズボタン
４  液晶モニタ
５  十字ボタン
６  撮像部
７  マイク
８  操作部
９  制御部
１０  検知部
１１  表示処理部
１２  スピーカ
１３  記録部
１４  接続部                                                                               
【図１】
2006229585.tif 000003
【図２】
2006229585.tif 000004
【図３】
2006229585.tif 000005
【図４】
2006229585.tif 000006
【図５】
2006229585.tif 000007
【図６】
2006229585.tif 000008
【図７】
2006229585.tif 000009
【図８】
2006229585.tif 000010